【手続補正書】
【提出日】平成26年7月15日(2014.7.15)
【手続補正１】
【補正対象書類名】特許請求の範囲
【補正対象項目名】全文
【補正方法】変更
【補正の内容】
【特許請求の範囲】
【請求項１】
異なる形態の複数の雄側コネクターを収容可能なハウジングと、当該ハウジングに支持される一対の雌側端子と、を備え、
前記一対の雌側端子は、前記複数の雄側コネクターのうち、１つの前記雄側コネクターの雄側端子に電気的に接続される第１の端子部と、他の前記雄側コネクターの雄側端子に電気的に接続される第２の端子部とを、それぞれ備え、
前記第２の端子部は当該第１の端子部に対して前記ハウジングの壁部側に設けられ、前記第２の端子部の接触面が前記第１の端子部の接触面に対して大きいことを特徴とする雌側コネクター。    
【請求項２】
一対の前記第２の端子部は、前記接触面が互いに異なる方向に面して配置されていることを特徴とする請求項１に記載の雌側コネクター。
【請求項３】
一対の前記第２の端子部は、前記接触面の成す角が略直角に配置されていることを特徴とする請求項２に記載の雌側コネクター。
【請求項４】
前記一対の雌側端子のうち一方の前記雌側端子においては、前記第１の端子部の前記接触面と前記第２の端子部の前記接触面が略平行であり、
他方の前記雌側端子においては、前記第１の端子部の前記接触面と前記第２の端子部の前記接触面の成す角が略直角であることを特徴とする請求項１から請求項３のいずれかに記載の雌側コネクター。
【請求項５】
前記ハウジングは、第１の架橋部と第２の架橋部と一対の側部と壁部を備え、
前記壁部は前記一対の雌側端子を支持しており、
前記第１の架橋部は、当該第１の架橋部から前記雌側端子へ向かって突出する突出部を備え、
前記突出部は、前記雌側端子の延在方向における前記雄側コネクターの位置を、前記ハウジング内の中間位置に規定することを特徴とする請求項１から請求項４のいずれかに記載の雌側コネクター。
【請求項６】
前記複数の雄側コネクターのうち、１つの雄側コネクターを第１の雄側コネクターとして、前記雌側端子は、前記突出部と前記第２の架橋部との間に配置されており、
前記第１の架橋部と前記第２の架橋部は、前記第１の雄側コネクターの外面部に対応する内面部を備え、
前記第２の端子部は、前記雌側端子の延在方向における前記ハウジング内の前記第１の雄側コネクターの位置を、前記ハウジング内の中間位置に規定することを特徴とする請求項５に記載の雌側コネクター。    
【請求項７】
前記雌側端子の延在方向における前記突出部の正面の位置は、前記第１の端子部側における前記第２の端子部の端部の位置に対して略同じであることを特徴とする請求項１から請求項６のいずれかに記載の雌側コネクター。    
【請求項８】
前記複数の雄側コネクターのうち、他の雄側コネクターを第２の雄側コネクターとして、
前記突出部は、前記第２の雄側コネクターの外面部に対応する内面部を備え、
前記突出部の内面部、前記側部および前記壁部は、前記第２の雄側コネクターの一部を前記突出部に対して前記壁部側に配置する空間を構成することを特徴とする請求項５から請求項７のいずれかに記載の雌側コネクター。
【請求項９】
前記一対の側部は、前記複数の雄側コネクターが有する第３の前記雄側コネクターの外面部に対応する内面部を備え、
前記第２の端子部又は前記突出部は、前記雌側端子の延在方向における前記ハウジング内の前記第３の雄側コネクターの位置を、前記ハウジング内の中間位置に規定することを特徴とする請求項５から請求項８のいずれかに記載の雌側コネクター。
【請求項１０】
前記一方の雌側端子が有する前記第２の端子部の接触面における前記交差方向は、前記第２の架橋部から前記第１の架橋部に向かう方向であり、
前記他方の雌側端子が有する前記第２の端子部の接触面における前記交差方向は、前記一対の側部のうち一方の前記側部から他方の前記側部に向かう方向であることを特徴とする請求項５から請求項９のいずれかに記載の雌側コネクター。    
【請求項１１】
前記第２の架橋部から前記第１の架橋部へ向かう方向における、前記一方の雌側端子が有する前記第１の端子部の位置は、当該一方の雌側端子部が有する前記第２の端子部の位置で規定され、
前記他方の側部から前記一方の側部へ向かう方向における、前記一方の雌側端子が有する前記第１の端子部の位置は、当該一方の雌側端子が有する前記第２の端子部の両端部間であって、当該第２の端子部の中央位置に対して前記他方の側部側に配置されており、
前記他方の側部から前記一方の側部へ向かう方向における、前記他方の雌側端子が有する前記第１の端子部の位置は、当該他方の雌側端子部が有する前記第２の端子部の位置で規定され、
前記第２の架橋部から前記第１の架橋部へ向かう方向における、前記他方の雌側端子が有する前記第１の端子部の位置は、当該他方の雌側端子が有する前記第２の端子部の両端部間であって、前記一方の雌側端子が有する前記第２の端子部の位置にて規定されることを特徴とする請求項１０に記載の雌側コネクター。
【請求項１２】
前記第１の端子部は、前記延在方向に延びる棒状の形状を備えることを特徴とする請求項１から請求項１１のいずれかに記載の雌側コネクター。    
【請求項１３】
前記第１の架橋部および前記第２の架橋部には、前記第１の雄側コネクターと嵌合する嵌合部が設けられており、
前記一方の側部には、前記第３の雄側コネクターと嵌合する嵌合部が設けられており、
前記他方の側部には、前記第１の架橋部および前記第２の架橋部に対して当該他方の側部を構成する側部構成部材が屈曲部を介して連結しており、
前記側部構成部材は、前記第１の架橋部および前記第２の架橋部の被嵌合部に対して嵌合する嵌合部を備えることを特徴とする請求項１０から請求項１１のいずれかに記載の雌側コネクター。
【請求項１４】
請求項１０から請求項１１のいずれかに記載の雌側コネクターと、当該雌側コネクターに接続する前記第１の雄側コネクターとを備え、
前記第１の雄側コネクターは、前記ハウジング内に配置されており、
前記第１の雄側コネクターは、当該第１の雄側コネクターから前記第１の架橋部に向かって突起する第１の突起状部と、当該第１の雄側コネクターから前記第２の架橋部に向かって突起する第２の突起状部とを備え、
前記第１の架橋部は、前記第１の突起状部と嵌合する嵌合部を備え、
前記第２の架橋部は、前記第２の突起状部と嵌合する嵌合部を備えることを特徴とするコネクターの接続構造。    
【請求項１５】
前記第１の架橋部は開口部を備え、
前記第１の雄側コネクターは、前記第１の架橋部の開口部に挿入される位置規制部を備えることを特徴とする請求項１４に記載のコネクターの接続構造。
【請求項１６】
請求項１０から請求項１１のいずれかに記載の雌側コネクターと、当該雌側コネクターに接続する前記第３雄側コネクターとを備え、
前記第３の雄側コネクターは、前記ハウジング内に配置されており、
前記第３の雄側コネクターは、当該雄側コネクターから前記一方の側部に向かって突起する突起状部と、当該一方の側部に対して接続する被接続部とを備え、
前記一方の側部は、前記突起状部に対して嵌合する嵌合部と、前記被連結部に対して連結される連結部を備えることを特徴とするコネクターの接続構造。    
【請求項１７】
前記一方の側部の連結部が有する開口部に、前記被連結部が有する位置規制部が配置され、
前記突起状部が有する位置決め部は、前記雌側端子の延在方向における、前記第３の雄側コネクターの位置を規定することを特徴とする請求項１６に記載のコネクターの接続構造。    
【請求項１８】
前記側部構成部材が、前記第１の架橋部又は前記第２の架橋部の一方に嵌合して、前記雌側コネクターの他方の側部を構成することを特徴とする請求項１７に記載のコネクターの接続構造。    
【請求項１９】
請求項１０から請求項１１のいずれかに記載の雌側コネクターと、当該雌側コネクターと接続する前記第２の雄側コネクターとを備え、前記第２の雄側コネクターは、前記ハウジング内に配置されており、
前記第２の雄側コネクターの雄側端子内に、前記雌側端子が配置されており、
前記雌側端子の第２の端子部には、前記第２の雄側コネクターの雄側端子による付勢力が作用することを特徴とするコネクターの接続構造。
【請求項２０】
前記雄側端子は、前記雌側端子を収容する収容部を備え、
前記収容部は、板状部と当該板状部の両端部から当該収容部の内側に向かって延在する一対の湾曲部を備え、
前記湾曲部が、前記雌側端子の第２の端子部に対して、当該湾曲部から前記板状部に向かう方向にて付勢力を作用させることを特徴とする請求項１９に記載のコネクターの接続構造。    
【請求項２１】
前記第２の雄側コネクターは一対の前記雌側端子に対応する前記雄側端子を一対備え、
前記一方の雌側端子は、一方の前記雄側端子の収容部内に配置されており、
前記他方の雌側端子は、他方の前記雄側端子の収容部内に配置されており、
前記一方の雌側端子の第１の端子部は、前記他方の雄側端子側に配置される前記湾曲部と前記板状部材とが構成する空間内に配置されており、
前記他方の雌側端子の第１の端子部は、前記収容部の内側に設けられる前記一対の湾曲部の端部近傍に配置されることを特徴とする請求項２０に記載のコネクターの接続構造。
【請求項２２】
請求項１４、１６、１９のいずれかに記載されたコネクターの接続構造を構成する雄側コネクターと、当該雄側コネクターと電気的に接続する前記雌側コネクターを有するスピーカ装置とを備えることを特徴とする自動車。